(57)【要約】      （修正有）【課題】重要度が高い送信元からファクシミリデータを受信したときの記憶装置の記憶容量不足を防止し、このファクシミリデータからなるファクシミリ画像を記録用紙に印刷するようにする。【解決手段】ファックス番号判定部１４は、指定ファックス番号登録リストに記憶されている重要度の高い送信元のファックス番号を参照し、受信したファクシミリデータの送信元のファックス番号が重要度の高い送信元のファックス番号であるかまたは重要度が低いファックス番号であるかを判定する。ファクシミリデータ書込部１６は、ファックス番号判定部１４により、受信したファクシミリデータの送信元のファックス番号が、重要度が高い送信元のファックス番号であると判定された場合、受信したファクシミリデータをフラッシュメモリの指定データ記憶部に書き込み、一方、重要度が低い送信元のファックス番号であると判定された場合、共通データ記憶部に書き込む。【選択図】図６
2009088782.tif 000002
【特許請求の範囲】
【請求項１】
受信した画像データを記憶する画像メモリを備えたファクシミリ装置であって、
画像データの受信処理における画像の送信元識別情報である、第１の送信元識別情報を取得する送信元識別情報取得部と、
画像データの送信元に対応した第２の送信元識別情報を記憶する第２の送信元識別情報記憶部と、
前記第２の送信元識別情報記憶部に記憶されている第２の送信元識別情報に対応して、前記画像メモリ上に第１のメモリ領域を確保するメモリ領域取得部と、
受信した画像データを前記画像メモリの所定の領域に記憶させるメモリ制御部とを備え、
前記メモリ制御部は、前記第１の送信元識別情報と第２の識別情報とに基づいて、前記第１のメモリ領域への受信画像データの記憶を制限することを特徴とするファクシミリ装置。
【請求項２】
相手ファクシミリ装置から受信した画像データの送信元の第２の送信元識別情報が、重要度が高いものであるか否かを判定する送信元識別判定部
を更に備え、
相手ファクシミリ装置から受信した画像データの送信元の第２の送信元識別情報が、重要度が高いものであると、前記送信識別判定部により判定された場合には、前記メモリ制御部は、前記第１の送信元識別情報と第２の識別情報とに基づいて、前記第１のメモリ領域への前記画像データの記憶を制限することを特徴とする請求項１記載のファクシミリ装置。
【請求項３】
前記第１のメモリ領域の空き容量を記憶する空き容量記憶部と、
前記送信元識別判定部により、相手ファクシミリ装置から受信した画像データの送信元の第２の送信元識別情報が、重要度が高いものであると判定された場合には、前記第１のメモリ領域の空き容量が、前記受信した画像データのデータ量以上であるか否かを判定する空き容量判定部と
を更に備え、
前記空き容量判定部により、前記第１のメモリ領域の空き容量が、前記受信した画像データのデータ量以上であると判定された場合には、前記メモリ制御部は、前記第１の送信元識別情報と第２の識別情報とに基づいて、前記第１のメモリ領域への前記画像データの記憶を制限することを特徴とする請求項１記載のファクシミリ装置。
【請求項４】
重量度の低い送信もとから受信した画像データを記憶する低重要度画像データ記憶部を更に備え、
前記空き容量判定部により、前記第１のメモリ領域の空き容量が、前記受信した画像データのデータ量未満であると判定された場合には、前記メモリ制御部は、前記第１の送信元識別情報と第２の識別情報とに基づいて、前記低重要度画像データ記憶部に書き込むことを特徴とする請求項３記載のファクシミリ装置。
【発明の詳細な説明】
【技術分野】
【０００１】
本発明は、相手ファクシミリ装置から送信されてきたファクシミリデータに基づいて、このファクシミリデータから形成されるファクシミリ画像を記録用紙に印刷するファクシミリ装置に関する。
【背景技術】
【０００２】
一般に、ファクシミリ装置は、送信元から受信したファクシミリ画像を記録用紙に記録するが、用紙切れなどで記録ができない要因が発生した場合、記録用紙に印刷するファクシミリ画像を生成するためのファクシミリデータをＲＡＭなどの記憶装置に蓄えておく、所謂メモリ代行受信とよばれる機能を持つものがあった（例えば、特許文献１参照）。
【特許文献１】特開２０００−１６５６３０号公報
【発明の開示】
【発明が解決しようとする課題】
【０００３】
上述したこの機能を備える従来のファクシミリ装置では、送信元から送信されてきたファクシミリデータを順次にＲＡＭ等の記憶装置に記憶していくため、記憶装置における記憶可能な記憶容量が少なくなり、後から受信したファクシミリデータを記憶装置に記憶することができない場合が発生する。このとき、記憶不能なファクシミリデータが重要度の低い送信元からのもの（例えば、不特定の送信先に送られる広告、勧誘を目的とするファクシミリ画像のファクシミリデータ）である場合には、特に問題とされたことがないが、重要度が高い送信元からのもの（例えば、時間を争って契約を行っているとき、契約に関する情報を知らせる目的とするファクシミリ画像のファクシミリデータ）である場合には、このファクシミリ画像の受信及び印刷することができないという問題点があった。
【０００４】
そこで、本発明は、上述した問題点に鑑み、重要度が高い送信元からファクシミリデータを受信したときの記憶装置の記憶容量不足を防止し、このファクシミリデータからなるファクシミリ画像を記録用紙に確実に印刷することが可能なファクシミリ装置を提供することを目的とする。
【課題を解決するための手段】
【０００５】
上記課題を解決するため、請求項１記載の発明は、受信した画像データを記憶する画像メモリを備えたファクシミリ装置であって、画像データの受信処理における画像の送信元識別情報である、第１の送信元識別情報を取得する送信元識別情報取得部と、画像データの送信元に対応した第２の送信元識別情報を記憶する第２の送信元識別情報記憶部と、前記第２の送信元識別情報記憶部に記憶されている第２の送信元識別情報に対応して、前記画像メモリ上に第１のメモリ領域を確保するメモリ領域取得部と、受信した画像データを前記画像メモリの所定の領域に記憶させるメモリ制御部とを備え、前記メモリ制御部が、前記第１の送信元識別情報と第２の識別情報とに基づいて、前記第１のメモリ領域への受信画像データの記憶を制限することを特徴とする。
【発明の効果】
【０００６】
以上、本発明によれば、受信した画像データを画像メモリの所定の領域に記憶させるメモリ制御部とを備え、メモリ制御部が、第１の送信元識別情報と第２の識別情報とに基づいて、第１のメモリ領域への受信画像データの記憶を制限するため、メモリ代行受信を行うに際して、重要度が高い送信元からファクシミリデータを受信したときの記憶容量不足を防止し、このファクシミリデータからなるファクシミリ画像を記録用紙に確実に印刷することができる。
【発明を実施するための最良の形態】
【０００７】
次に、本発明を実施するための最良の形態を説明する。
【実施例】
【０００８】
図１は、本発明に係る実施例のファクシミリ装置の構成を示すブロック図である。図１に示すように、ファクシミリ装置は、電話網３０と接続され、ＣＰＵ１と、ＲＯＭ２と、ＲＡＭ３と、フラッシュメモリ４と、符号化部５と、復号化部６と、読取り装置７と、操作パネル８と、印刷装置９、モデム１０とを備え、これらがシステムバス２５により互いに接続されて構成されている。
【０００９】
ＣＰＵ１は、ＲＯＭ２に記憶されている制御プログラムに従い、ＲＯＭ２、ＲＡＭ３、フラッシュメモリ４、符号化部５、復号化部６、読取り装置７、操作パネル８、印刷装置９、及び、モデム１０を制御するとともに、図６に示す後述する機能を構成する。
【００１０】
ＲＯＭ２は、ＣＰＵ１が実行する制御プログラムを記憶する。ＲＡＭ３は、ＣＰＵ１が制御プログラムを実行したときに発生する作業用データを一時記憶する。
【００１１】
フラッシュメモリ４は、図２に示すように、指定データ記憶部４１、共通データ記憶部４２、指定番号＆メモリ登録リスト４３、及び、メモリ管理情報ファイル４４を有する。指定データ記憶部４１と共通データ記憶部４２とを合わせたメモリ容量は、１００（ＭＢ）である。指定データ記憶部４１は、後述する指定番号＆メモリ登録リスト４３に登録されている全ての指定ファックス番号について、この指定ファックス番号のファクシミリデータを記憶するユーザにより決められたメモリ容量を有する領域（以下、指定ファックス番号領域という）が確保されている。
【００１２】
例えば、図３に示す指定ファックス番号が「０３５６７８５６７８」の場合には、１２８００（ＫＢ）のメモリ容量を有する領域が確保され、指定ファックス番号が「０３５５１１２３４５」の場合には、６４００（ＫＢ）のメモリ容量を有する領域が確保され、指定ファックス番号が「０３２２２３３４４４」の場合には、９６００（ＫＢ）のメモリ容量を有する領域が確保され、指定ファックス番号が「０３１１２２３３４５」の場合には、１９２００（ＫＢ）のメモリ容量を有する領域が確保されている。
【００１３】
共通データ記憶部４２は、指定番号＆メモリ登録リスト４３により指定されない送信元のファクシミリデータ、及び、前述の送信元のファクシミリデータが指定データ記憶部４１に記憶することができないファクシミリデータを記憶する。上述した例では、この共通データ記憶部４２のメモリ容量は、１００ＭＢから指定データ記憶部４１に確保された全ての指定ファックス番号の指定ファックス番号領域を引いた、残りのメモリ容量（１００×１０２４（ＫＢ）−１２８００（ＫＢ）−６４００（ＫＢ）―９６００（ＫＢ）−１９２００（ＫＢ））５４４００（ＫＢ）である。
【００１４】
指定番号＆メモリ登録リスト４３は、受信したファクシミリデータについて、その送信元が重要度の高い送信元であるか否かを判定するために使用されるリストであって、図３に示すように、重量度が高い送信元を指定するファックス番号（以下、指定ファックス番号という）と、この指定ファックス番号のファクシミリ装置に対して割り当てられたメモリ容量が記述されている。
【００１５】
図２に示す、メモリ管理情報ファイル４４は、図４に示すように、指定ファックス番号と、この指定ファックス番号のファクシミリ装置に対して割り当てられたメモリ容量のうち記憶可能な空きメモリ容量（ＫＢ）が記述されたメモリ管理情報データを記憶する。なお、メモリ管理情報データには、共通データ記憶部４２の記憶可能な空きメモリ容量（ＫＢ）を示すメモリ管理情報データがあり、このメモリ管理情報データは、指定ファックス番号が記述される箇所に「共通メモリ領域」と記述されている。
【００１６】
図１に示す符号化部５は、読取り装置７により読み取られた画像データをＭＲ方式で符号化してファクシミリデータを生成し、このファクシミリデータをデータ圧縮し、圧縮されたファクシミリデータをモデム１０に出力する。
【００１７】
復号化部６は、モデム１０から入力された相手のファクシミリ装置から送信されてきたファクシミリデータをデータ伸張し、復号化する。
【００１８】
読取り装置７は、スキャナ（図示せず）により原稿の画像を読み取り、この画像データよりファクシミリデータを生成し、このファクシミリデータを符号化部５に出力する。
【００１９】
操作パネル８は、液晶表示装置（ＬＣＤ）からなる表示部（図示せず）と、入力情報を入力するためのテンキー等からなる入力部（図示せず）とを備える。表示部は、自装置のステータス状態を表示するとともに、入力部から入力された入力情報等が表示される。例えば、表示部は、前述の指定ファックス番号（図３参照）を入力するための図５に示す指定番号＆メモリ容量入力表示画面を表示する。
【００２０】
この指定番号＆メモリ容量入力表示画面は、前述した指定番号＆メモリ登録リスト４３を生成するときに、表示部に表示される表示画面であって、図５に示すように、指定ファックス番号を入力する入力欄と、この入力欄に入力された指定ファックス番号のファクシミリ装置に対して割り当てるメモリ容量を入力する入力欄と、「ＯＫ」ボタンとを表示する。
【００２１】
印刷装置９は、電子写真方式のプリンタ装置であって、受信したファクシミリデータのファクシミリ画像を記録用紙にハードコピーとして印刷出力する。
【００２２】
モデム１０は、ＩＴＵ−Ｔ勧告Ｔ．３０に規定されたファクシミリ伝送制御手順に従ってファクシミリデータや制御信号を変復調し、この変復調したファクシミリデータや制御信号を、電話網３０を介して相手先のファクシミリ装置との間で送受信する。
【００２３】
図６は、本発明に係るファクシミリ装置の機能を示すブロック図である。ＣＰＵ１がＲＯＭ２に記憶されている制御プログラムを実行することにより、後述する機能を有する入出力制御部１１と、送受信部１２と、信号生成部１３と、ファックス番号判定部１４と、空きメモリ容量判定部１５と、ファクシミリデータ書込部１６と、メモリ管理情報ファイル更新部１７と、指定ファックス番号登録リスト生成部１８とが実現される。
【００２４】
入出力制御部１１は、図５に示す指定番号＆メモリ容量入力表示画面を表示させる表示データをＲＯＭ２から読み出し、この指定番号＆メモリ容量入力表示画面を操作パネル８の表示部に表示させる。また、入出力制御部１１は、指定番号＆メモリ容量入力表示画面の各入力欄に入力された指定ファックス番号及びメモリ容量を指定ファックス番号登録リスト生成部１８に出力する。更に、入出力制御部１１は、指定ファックス番号登録リスト生成部１８から指定番号＆メモリ登録リスト４３を生成した旨の通知が入力されると、指定番号＆メモリ容量入力表示画面の所定箇所に「相手先ファックス番号登録完了」と表示部に表示させる。
【００２５】
送受信部１２は、電話網３０及びモデム１０を介して相手ファクシミリ装置から後述するＣＮＧ、ＤＣＳ、ＴＳＩ、ＥＯＰ等の制御信を受信し、この受信した制御信号に対する相手ファクシミリ装置に送信する後述するＣＥＤ、ＤＩＳ、ＣＦＲ、ＭＣＦ等の制御信号の生成要求を信号生成部１３に出力する。また、送受信部１２は、１ページ（６４ＫＢ）単位の毎のファクシミリデータを受信すると、ＲＡＭ３に受信したファクシミリデータを一時記憶する。
【００２６】
ここで、制御信号ＣＮＧは接続要求を示す制御信号であり、制御信号ＤＣＳは相手ファクシミリ装置の通信機能を宣言する制御信号であり、制御信号ＴＳＩは相手ファクシミリ装置を識別するための情報（ファックス番号）を含む制御信号であり、制御信号ＥＯＰは送信すべきファクシミリデータが無いことを示す制御信号である。また、制御信号ＣＥＤは、制御信号ＣＮＧを受信した旨を知らせる制御信号であり、制御信号ＤＩＳは、自装置の通信機能を宣言する信号であり、制御信号ＣＦＲは、ファクシミリデータを受信することが可能な状態に移行するまでのプリメッセージ手順が終了したことを示す制御信号であり、制御信号ＭＣＦは、ファクシミリデータの受信が良好に完了した旨を知らせる制御信号である。
【００２７】
信号生成部１３は、送受信部１２からの要求に従い、前述の制御信号ＣＥＤ、制御信号ＤＩＳ、制御信号ＣＦＲ、制御信号ＭＣＦ等を生成し、生成したこれらの制御信号を送受信部１２に出力する。また、信号生成部１３は、ファクシミリデータの受信を停止させる信号の出力要求が空きメモリ容量判定部１５から入力されると、ファクシミリデータの受信を停止することを示すＰＩＮ信号を生成し、このＰＩＮ信号を送受信部１２に出力する。
【００２８】
ファックス番号判定部１４は、送受信部１２よりＴＩＳ信号中のファックス番号が入力されると、このファックス番号がフラッシュメモリ４の指定番号＆メモリ登録リスト４３に登録されているか否かを判定する。ファックス番号判定部１４は、このファックス番号が指定番号＆メモリ登録リスト４３に登録されていると判定した場合には、空きメモリ容量判定部１５に対して、この指定ファックス番号の送信されてきたファクシミリデータを指定データ記憶部４１に確保されたこの指定ファックス番号に示された指定ファックス番号領域に記憶することができるか否かを判定させる要求を出力する。一方、ファックス番号判定部１４は、このファックス番号が指定番号＆メモリ登録リスト４３に登録されていないと判定した場合には、空きメモリ容量判定部１５に対して、この指定ファックス番号でないファクシミリデータを共通データ記憶部４２に記憶することができるか否かを判定させる要求を出力する。
【００２９】
空きメモリ容量判定部１５は、指定ファックス番号に示された指定ファックス番号領域に記憶することができるか否かを判定させる要求がファックス番号判定部１４から入力されると、図４に示すメモリ管理情報ファイルを参照し、指定ファックス番号の空きメモリ容量がファクシミリデータの容量である６４（ＫＢ）以上であるか否かを判定する。そして、空きメモリ容量判定部１５は、前述の空きメモリ容量が６４（ＫＢ）以上であると判定した場合には、指定ファックス番号により指定された指定ファックス番号領域の空き領域にファクシミリデータを記憶させる要求をファクシミリデータ書込部１６に出力する。
【００３０】
また、空きメモリ容量判定部１５は、指定ファックス番号により指定された指定ファックス番号領域の空きメモリ容量が６４（ＫＢ）未満であると判定した場合、又は、指定ファックス番号でないファクシミリデータを共通データ記憶部４２に記憶することができるか否かを判定させる要求がファックス番号判定部１４から入力された場合には、図４に示すメモリ管理情報ファイルを参照し、指定ファックス番号が「共通メモリ領域」と記述されたメモリ管理情報データの空きメモリ容量を参照し、共通データ記憶部４２の空きメモリ容量がファクシミリデータの容量である６４（ＫＢ）以上であるか否かを判定する。そして、空きメモリ容量判定部１５は、前述の空きメモリ容量が６４（ＫＢ）以上であると判定した場合には、共通データ記憶部４２の空き領域にファクシミリデータを記憶させる要求をファクシミリデータ書込部１６に出力する。一方、空きメモリ容量判定部１５は、前述の空きメモリ容量が６４（ＫＢ）未満であると判定した場合には、ファクシミリデータの受信を停止させる信号の出力要求を信号生成部１３に出力する。
【００３１】
ファクシミリデータ書込部１６は、空きメモリ容量判定部１５から入力された書き込み要求に従い、指定ファックス番号のファクシミリデータを、指定ファックス番号により指定された指定ファックス番号領域の空きメモリ領域に書き込む。また、ファクシミリデータ書込部１６は、空きメモリ容量判定部１５から入力された書き込み要求に従い、指定ファックス番号領域の空き領域に書き込みができなかった指定ファックス番号のファクシミリデータ又は指定ファックス番号でないファクシミリデータを共通データ記憶部４２の空きメモリ領域に書き込む。
【００３２】
メモリ管理情報ファイル更新部１７は、指定データ記憶部４１又は共通データ記憶部４２に１ページ分のファクシミリデータが書き込まれるごとに、書き込まれたファクシミリデータのメモリ管理情報データに記述されている空きメモリ容量を更新する。
【００３３】
指定ファックス番号登録リスト作成部１８は、入出力制御部１１から指定ファックス番号が入力されると、例えば図３に示す指定番号＆メモリ登録リスト４３をフラッシュメモリ４に生成する。
【００３４】
次に、本発明に係る実施例のファクシミリ装置の動作を説明する。
【００３５】
図７は、本発明に係る実施例のファクシミリ装置の動作を示すフローチャートである。まず、送受信部１２は、相手ファクシミリ装置から電話網３０及びモデム１０を介して接続要求を示すリング信号（制御信号ＣＮＧ）を受信すると、（ステップＳ１１）、リング信号を受信した旨の通知を信号生成部１３に出力する。
【００３６】
信号生成部１３は、前述の通知が送受信部１２から入力されると、リング信号を受信した旨を示すＣＥＤ信号を生成し、このＣＥＤ信号を送受信部１２に出力する。
【００３７】
送受信部１２は、ＣＥＤ信号が入力されると、このＣＥＤ信号をモデム１０及び電話網３０を介して相手ファクシミリ装置に送信する。
【００３８】
その後、自ファクシミリ装置と相手ファクシミリ装置との間で制御信号（例えば、制御信号ＤＩＳ、制御信号ＤＣＳ）をやりとりし、以後、互いに通信を行う際の通信機能を設定し終わったのち、送受信部１２は、相手ファクシミリ装置から電話網３０及びモデム１０を介して相手ファクシミリ装置を識別するための制御信号ＴＳＩ信号を受信すると（ステップＳ１２）、このＴＳＩ信号に記述されている相手ファクシミリ装置のファックス番号をＲＡＭ３に書き込む。
【００３９】
その後、自ファクシミリ装置が、ファクシミリデータを受信することが可能な状態に移行すると、信号生成部１３は、ファクシミリデータを受信することが可能な状態に移行したことを示す制御信号ＣＦＲを生成し、この制御信号ＣＦＲを送受信部１２に出力する。
【００４０】
送受信部１２は、信号生成部１３から入力された制御信号ＣＦＲをモデム１０及び電話網３０を介して相手ファクシミリ装置に送信し（ステップＳ１３）、相手ファクシミリ装置にファクシミリデータの送信を促す。
【００４１】
その後、送受信部１２は、相手ファクシミリ装置から１ページ分のファクシミリデータを電話網３０及びモデム１０を介して受信すると、受信した１ページ分のファクシミリデータをＲＡＭ３に一時格納する（ステップＳ１４）。その後、送受信部１２は、相手ファクシミリ装置のファックス番号が指定ファックス番号である否かを判定させる要求を指定ファックス番号判定部１４に出力する。
【００４２】
ファックス番号判定部１４は、前述の要求が送受信部１２から入力されると、ＲＡＭ３に記憶されている相手ファクシミリ装置のファックス番号を読み出し、このファックス番号がフラッシュメモリ４の指定番号＆メモリ登録リスト４３に登録されているか否かを判定する（ステップＳ１５）。ファックス番号判定部１４は、読み出したファックス番号がフラッシュメモリ４の指定番号＆メモリ登録リスト４３に登録されていないと判定した場合、すなわち、このファックス番号が指定ファックス番号でないと判定した場合には（ステップＳ１５；Ｎ）、共通データ記憶部４２の空き領域が、１ページ分のファクシミリデータ量である６４ＫＢ以上であるか否かを判定させる要求を空きメモリ容量判定部１５に出力し、ステップＳ１８に処理を移行させる。
【００４３】
一方、ファックス番号判定部１４は、読み出したファックス番号がフラッシュメモリ４の指定番号＆メモリ登録リスト４３に登録されていると判定した場合、すなわち、ファックス番号が指定ファックス番号であると判定した場合には（ステップＳ１５；Ｙ）、この指定ファックス番号により指定された指定ファックス番号領域の空き容量が１ページ分のファクシミリデータ量である６４ＫＢ以上であるか否かを判定させる要求を空きメモリ容量判定部１５に出力する。
【００４４】
空きメモリ容量判定部１５は、ファックス番号判定部１４から前述の要求が入力されると、図４に示すメモリ管理情報ファイル４４中の前述の指定ファックス番号領域の空きメモリ容量を読み出し、この空きメモリ容量がファクシミリデータの容量である６４（ＫＢ）以上であるか否かを判定する（ステップＳ１６）。空きメモリ容量判定部１５は、前述の空きメモリ容量が６４（ＫＢ）以上であると判定した場合には（ステップＳ１６；Ｙ）、指定ファックス番号領域の空き領域にファクシミリデータを記憶させる要求をファクシミリデータ書込部１６に出力する。
【００４５】
ファクシミリデータ書込部１６は、前述の要求が空きメモリ容量判定部１５から入力されると、ＲＡＭ３に記憶されているファクシミリデータを読み出し、このファクシミリデータを前述の指定ファックス番号領域の空きメモリ領域に書き込む（ステップＳ１７）。その後、ファクシミリデータ書込部１６は、ＲＡＭ３に記憶されているファクシミリデータをＲＡＭ３から消去する、次に、ファクシミリデータ書込部１６は、メモリ管理情報ファイルの更新要求をメモリ管理情報ファイル更新部１７に出力し、ステップＳ２１に処理を移行させる。この更新要求には、更新するメモリ管理情報データを指定するための情報として、指定ファックス番号が記述されている。
【００４６】
ステップＳ１６において、空きメモリ容量判定部１５は、前述の空きメモリ容量がファクシミリデータの容量である６４（ＫＢ）未満であると判定した場合には（ステップＳ１６；Ｎ）、メモリ管理情報ファイル４４中のファックス番号が「共通メモリ領域と」記述された空きメモリ容量を読み出し、この空きメモリ容量がファクシミリデータの容量である６４（ＫＢ）以上であるか否かを判定する（ステップＳ１８）。
【００４７】
空きメモリ容量判定部１５は、前述の空きメモリ容量が６４（ＫＢ）未満であると判定した場合には（ステップＳ１８；Ｎ）、ファクシミリデータの受信を停止させる信号の出力要求を信号生成部１３に出力する。
【００４８】
信号生成部１３は、前述の出力要求が空きメモリ容量判定部１５から入力されると、ファクシミリデータの受信を停止することを示すＰＩＮ信号を生成し、このＰＩＮ信号を送受信部１２に出力する。
【００４９】
送受信部１２は、信号生成部１３から入力されたＰＩＮ信号をモデム１０、電話網３０を介して相手ファクシミリ装置に送信し（ステップＳ１９）、ステップＳ２５に処理を移行させる。
【００５０】
ステップＳ１８において、空きメモリ容量判定部１５は、指定ファックス番号に指定された指定ファックス領域の空き容量がファクシミリデータの容量である６４（ＫＢ）未満であると判定した場合（ステップＳ１６；Ｎ）、又は、共通データ記憶部４２の空き領域が１ページ分のファクシミリデータ量である６４（ＫＢ）以上であるか否かを判定させる要求をファックス番号判定部１４から入力した場合には、共通メモリ領域の空き領域にファクシミリデータを記憶させる要求をファクシミリデータ書込部１６に出力する。
【００５１】
ファクシミリデータ書込部１６は、前述の要求が空きメモリ容量判定部１５から入力されると、ＲＡＭ３に記憶されているファクシミリデータを読み出し、この読み出したファクシミリデータを共通メモリ領域の空き領域に書き込む（ステップＳ２０）。その後、ファクシミリデータ書込部１６は、ＲＡＭ３に記憶されているファクシミリデータをＲＡＭ３から消去する。次に、ファクシミリデータ書込部１６は、メモリ管理情報ファイルの更新要求をメモリ管理情報ファイル更新部１７に出力する。この更新要求には、更新するメモリ管理情報データを指定するための情報として、「共通メモリ領域」という情報が記述されている。
【００５２】
メモリ管理情報ファイル更新部１７は、更新するメモリ管理情報データを指定するための情報を有する更新要求がファクシミリデータ書込部１６から入力されると、この情報に指定されたメモリ管理情報データについてメモリ管理情報ファイル４４を更新する（ステップＳ２１）。
【００５３】
例えば、ファクシミリデータ書込部１６から、更新するメモリ管理情報データを指定するための情報として「０３５６７８５６７８」の指定ファックス番号を有する更新要求が入力された場合には、図４に示すように、この指定ファックス番号が記述されたメモリ管理情報データの空きメモリ容量は、４８００（ＫＢ）から６４（ＫＢ）を引いた４７３６（ＫＢ）に更新される。また、ファクシミリデータ書込部１６から、更新するメモリ管理情報データを指定するための情報として「共通メモリ領域」を有する更新要求が入力された場合には、図４に示すように、この「共通メモリ領域」が記述されたメモリ管理情報データの空きメモリ容量は、２５６００（ＫＢ）から６４（ＫＢ）を引いた２５５３６（ＫＢ）に更新する。
【００５４】
その後、送受信部１２は、送信すべきファクシミリデータがあることを示す制御信号ＭＰＳか、又は、送信するファクシミリデータがないことを示す制御信号ＥＯＰが相手ファクシミリ装置から送信されてきたか否かを判定する（ステップＳ２２）。送受信部１２は、制御信号ＭＰＳが相手ファクシミリ装置から送信されてきたと判定した場合には（ステップＳ２２；ＭＰＳ信号）、その旨の通知を信号生成部１３に出力する。
【００５５】
信号生成部１３は、前述の通知が送受信部１２から入力されると、受信した１ページ分のファクシミリデータの受信が良好に完了した旨を示す制御信号ＭＣＦを生成し、この制御信号ＭＣＦを送受信部１２に出力する。
【００５６】
送受信部１２は、制御信号ＭＣＦが信号生成部１３から入力されると、モデム１０及び電話網３０を介して相手ファクシミリ装置に送信し（ステップＳ２３）、ステップＳ１５に処理を移行させ、上述したと同様な処理を続行させる。
【００５７】
一方、送受信部１２は、制御信号ＥＯＰが相手ファクシミリ装置から送信されてきたと判定した場合には（ステップＳ２２；ＥＯＰ信号）、その旨の通知を信号生成部１３に出力する。
【００５８】
信号生成部１３は、前述の通知が送受信部１２から入力されると、受信した１ページ分のファクシミリデータの受信が良好に完了した旨を示す制御信号ＭＣＦを生成し、この制御信号ＭＣＦを送受信部１２に出力する。
【００５９】
送受信部１２は、制御信号ＭＣＦが信号生成部１３から入力されると、モデム１０及び電話網３０を介して相手ファクシミリ装置に送信する（ステップＳ２４）。その後、送受信部１２は、相手ファクシミリ装置から回線の切断要求を示す制御信号ＤＣＮが電話網３０及ぶモデム１０を介して受信すると（ステップＳ２９）、ファクシミリデータの受信処理を終了させる。
【００６０】
実施例によれば、ファックス番号判定部１４により、相手ファクシミリ装置から受信したファクシミリデータのファックス番号が、重要度が高い指定ファックス番号であると判定された場合には、ファクシミリデータ書込部１６がこのファクシミリデータを指定データ記憶部４１に確保された指定ファックス番号に指定された指定ファックス番号領域の空き領域に書き込み、一方、重要度が低い指定ファックス番号でないファックス番号であると判定された場合には、ファクシミリデータ書込部１６が共通データ記憶部４２に書き込むため、メモリ代行受信を行うに際して、重要度が高い送信元からファクシミリデータを受信したときの記憶装置の記憶容量不足を防止し、このファクシミリデータからなるファクシミリ画像を記録用紙に確実に印刷することができる。
【００６１】
また、実施例によれば、ファクシミリデータ書込部１６が、空きメモリ容量判定部１５により、指定データ記憶部４１の指定ファックス番号に指定された指定ファックス番号領域の空き容量が受信した１ページ分のファクシミリデータ量６４（ＫＢ）未満であると判定された場合には、このファクシミリデータを共通データ記憶部４２に書き込むので、重要度が高い送信元から受信したファクシミリデータを記憶するメモリ容量を多くすることができる。
【００６２】
実施例では、重要度が高い送信元のファクシミリデータを受信した場合には、まず、フラッシュメモリ４の指定データ記憶部４１にこのファクシミリデータを記憶し、このファクシミリデータが指定データ記憶部４１にすべて記憶できない場合には、記憶できない分を共通データ記憶部４２に記憶するように構成されているが、これ以外として、まず、このファクシミリデータを共通データ記憶部４２に記憶し、このファクシミリデータが共通データ記憶部４２にすべて記憶できない場合には、記憶できない分を指定データ記憶部４１に記憶するようにしてもよい。
【００６３】
実施例の変形例として、ファクシミリデータを送信する送信元のファックス番号を表示するナンバーディスプレイを操作パネル８に備え、接続要求を示すリング信号を受信する前に、送信元のファックス番号をナンバーディスプレイに表示させるようにしてもよい。これにより、オペレータは、重要度が低い送信元のファクシミリデータが送信されてこようとしたとき、その着信を拒否することができる。従って、重要度の高い送信元のファクシミリデータの容量不足を事前に防ぐことができる。
【図面の簡単な説明】
【００６４】
【図１】本発明に係る実施例のファクシミリ装置の構成を示すブロック図である。
【図２】図１中のフラッシュメモリの構成を示すブロック図である。
【図３】図２中の指定番号＆メモリ登録リストの一例を示す図である。
【図４】図２中のメモリ管理情報ファイルの一例を示す図である。
【図５】指定番号＆メモリ容量入力表示画面の一例を示す図である。
【図６】本発明に係る実施例のファクシミリ装置の機能を示すブロック図である。
【図７】本発明に係る実施例のファクシミリ装置の動作を示すフローチャートである。
【符号の説明】
【００６５】
１  ＣＰＵ
１１  入出力制御部
１２  送受信部
１３  信号生成部
１４  ファックス番号判定部
１５  空きメモリ容量判定部
１６  ファクシミリデータ書込部
１７  メモリ管理情報ファイル更新部
１８  指定ファックス番号登録リスト生成部
２  ＲＯＭ
３  ＲＡＭ
４  フラッシュメモリ
４１  指定データ記憶部
４２  共通データ記憶部
４３  指定番号＆メモリ登録リスト
４４  メモリ管理情報ファイル
５  符号化部
６  復号化部
７  読取り装置
８  操作パネル
９  印刷装置
１０モデム
２５  システムバス
３０  電話網
【図１】
2009088782.tif 000003
【図２】
2009088782.tif 000004
【図３】
2009088782.tif 000005
【図４】
2009088782.tif 000006
【図５】
2009088782.tif 000007
【図６】
2009088782.tif 000008
【図７】
2009088782.tif 000009